(57)【要約】  印刷機（１０）が提供され、この印刷機に、第１の印刷ジョブをウェブ（１２）に印刷する少なくとも１つの印刷ユニットと、ウェブ（１２）を複数のリボン（５３，５４，５５，５６）に分割し、リボン（５３，５４，５５，５６）を組合せ、リボン（５３，５４，５５，５６）を折丁（１１０）に裁断する折り機（５０）とが設けられており、折り機（５０）が、折丁を排出するための折り機デリバリを有しており、全てのリボン（５３，５４，５５，５６）にマークを提供するマーク提供装置（４０）が設けられており、全てのリボン（５３，５４，５５，５６）におけるマークを検出するセンサ（６０）が設けられており、マーク提供装置（４０）及びセンサ（６０）に接続されておりかつ最も短いリボン値及び最も長いリボン値を決定する制御装置（１００）が設けられており、最も短いリボン値が、折り機（５０）を通る第１のリボン（５３）の最も短い経路長さ（Ａ1）の関数であり、最も長いリボン値が、折り機（５０）を通る別のリボン（５６）の最も長い経路長さ（Ａ4）の関数である。方法も提供される。
2010517825.tif 000002
【特許請求の範囲】
【請求項１】
印刷機において、
第１のジョブをウェブに印刷する少なくとも１つの印刷ユニットが設けられており、
ウェブを複数のリボンに分割し、リボンを組合せ、リボンを折丁に裁断する、折り機が設けられており、該折り機が、折丁を排出するための折り機デリバリを有しており、
全てのリボンにマークを提供するマーク提供装置が設けられており、
全てのリボンにおけるマークを検出するセンサが設けられており、
マーク提供装置とセンサとに接続されておりかつ最も短いリボン値及び最も長いリボン値を決定する制御装置が設けられており、最も短いリボン値が、折り機を通る第１のリボンの最も短い経路長さの関数であり、最も長いリボン値が、折り機を通る別のリボンの最も長い経路長さの関数であることを特徴とする、印刷機。
【請求項２】
マークが磁気特性を有している、請求項１記載の印刷機。
【請求項３】
マークが強磁性インキである、請求項１記載の印刷機。
【請求項４】
センサが磁気センサである、請求項１記載の印刷機。
【請求項５】
制御装置が、第１のジョブによって印刷される最も長いリボン及び最も短いリボンの印像の数を決定する、請求項１記載の印刷機。
【請求項６】
折り機の後に排出口が設けられており、制御装置が排出口を制御する、請求項１記載の印刷機。
【請求項７】
排出口が、最も短いリボン値及び最も長いリボン値に関して制御される、請求項６記載の印刷機。
【請求項８】
第１の印刷ユニットが印刷していないときにウェブに第２の印刷ジョブを印刷する少なくとも１つの第２の印刷ユニットが設けられている、請求項１記載の印刷機。
【請求項９】
印刷されたリボンの長さを決定するための方法において、
少なくとも１つの印刷ユニットを用いて材料ウェブを印刷するステップと、
ウェブを複数のリボンに分割するステップと、
複数のリボンの各リボンにマークを提供するステップと、
各リボンにおけるマークを検出するステップと、
検出に関して、最も長いリボン値を決定するステップとを含み、最も長いリボン値が、複数のリボンの最も長いリボンが折り機を通過する最も長い距離の関数であり、
検出に関して、最も短いリボン値を決定するステップを含み、最も短いリボン値が、複数のリボンの最も短いリボンが折り機を通過する最も短い距離の関数であることを特徴とする、印刷されたリボンの長さを決定するための方法。
【請求項１０】
最も短いリボン値及び最も長いリボン値に関して排出口を操作することを含む、請求項９記載の方法。
【請求項１１】
印刷が、第１の印刷ジョブのために行われ、さらに、同じ折り機構成を使用して第２の印刷ジョブへ切り替えることをさらに含む、請求項９記載の方法。
【請求項１２】
いつ第１の印刷ジョブのための有効な製品がもはや形成されないかを最も短いリボン値に関して決定することを含む、請求項１１記載の方法。
【請求項１３】
いつ第２の印刷ジョブのための別の有効な製品が形成され始めるかを最も長いリボン値に関して決定することを含む、請求項１２記載の方法。
【請求項１４】
第１の印刷ジョブのための有効な製品がもはや形成されなくなった後に不良な製品を廃棄するように排出口を操作することを含む、請求項１２記載の方法。
【請求項１５】
いつ第２の印刷ジョブのための別の良好な製品が、最も長いリボン値に関して形成され始めるかを決定することを含む、請求項１１記載の方法。
【請求項１６】
最も短いリボン値の決定が、いつ最も短いリボンのためのマークが最後の印刷ユニットを通過するかと、いつ最も短いリボンのためのマークが最後の印刷ユニットの下流のセンサを通過するかとを決定することを含む、請求項９記載の方法。
【請求項１７】
マークが、あらゆる見当合せマークとは別個のものである、請求項９記載の方法。
【請求項１８】
マークが、全ての印像に提供されているわけではない、請求項９記載の方法。
【発明の詳細な説明】
【技術分野】
【０００１】
本発明は概してウェブ印刷機に関する。
【０００２】
引用したことにより本明細書に記載されたものとする米国特許出願公開第２００６／０２１９１１５号明細書は、版胴と、ブランケット胴と、第２のブランケット胴と、自動刷版交換機構と、胴抜き機構とを有するオフセットウェブ印刷ユニットを開示している。印刷ユニットは、自動刷版交換能力を維持しながらブランケット胴及び版胴の大きな移動を効果的な形式で可能にしている。
【０００３】
ウェブ印刷機は、一般的に、例えば４つの印刷ユニットを使用して材料のウェブを印刷紙、各印刷ユニットは何らかの色を印刷する。次いで、ウェブは、リボンに裁断され、処理され、折り機において再び組み合わされてよい。折り機は、再び組み合わされたリボンから折丁を裁断し、次いで、折丁は、例えば新聞又は雑誌のセクションを形成するために排出される。
【０００４】
印刷機が１つのジョブから別のジョブに変更する場合、例えば、スポーツ雑誌の印刷からビジネス雑誌に変更する場合、印刷ユニットと折り機デリバリとの間のデリバリ流の長さが変化してよい。
【０００５】
発明の簡単な概要
本発明は、印刷機を提供し、この印刷機には、
第１のジョブをウェブに印刷する少なくとも１つの印刷ユニットが設けられており、
ウェブを複数のリボンに裁断し、リボンを組合せ、リボンを折丁に裁断する折り機とが設けられており、この折り機が、折丁の排出のための折り機デリバリを有しており、
全てのリボンにマークを提供するマーク提供装置が設けられており、
全てのリボンにおけるマークを検出するセンサが設けられており、
マーク提供装置及びセンサに接続された、最も短いリボン値及び最も長いリボン値を決定する制御装置が設けられており、最も短いリボン値が、折り機を通過する第１のリボンの最も短い経路長さの関数であり、最も長いリボン値が、折り機を通過する別のリボンの最も長い経路長さの関数である。
【０００６】
本発明はさらに、印刷されたリボン長さを決定するための方法を提供し、この方法は、
少なくとも１つの印刷ユニットを用いて材料のウェブを印刷するステップと、
ウェブをリボンに裁断するステップと、
リボンの各リボンにマークを提供するステップと、
各リボンにおけるマークを検出ステップと、
検出に関して、最も長いリボン値を決定するステップとを含み、最も長いリボン値が、リボンの最も長いリボンが折り機を通過する最も長い距離の関数であり、
検出に関して、最も短いリボン値を決定し、最も短いリボン値が、リボンの最も短いリボンが折り機を通過する最も短い距離の関数である。
【０００７】
本発明の好適な実施形態が、図面を参照しながら説明される。
【図面の簡単な説明】
【０００８】
【図１】本発明による印刷機の図である。
【図２】２つの印刷ジョブを同時に行っている、図１に示された印刷機の図である。
【図３】開放位置における印刷機の排出口の図である。
【図４】本発明によるウェブの図である。
【０００９】
好適な実施形態の詳細な説明
印刷ユニットと折り機デリバリとの間の許容可能なコピー（印像）の数は、概して、分かっていないか又は予測されるだけである。例えば、印刷が、ジョブ変更のために停止する場合、行われることができる前のジョブから、印刷ユニットの後にはウェブ及びリボンには依然として１００の有効な製品が存在する場合がある。しかしながら、これらの製品の多くはしばしば廃棄される。なぜならば、どれだけ多くの潜在的な有効な製品が利用可能であるか、又はどこに有効な製品が配置されているかが分からないからである。
【００１０】
さらに、次のジョブが開始すると、次のジョブの有効なコピーも、排出口を介して廃棄される場合がある。次のジョブのための有効な製品が排出口を通過する時を予測することによってのみ、次の製品は排出され始める。
【００１１】
本発明は、有利には、排出されることができる有効な製品の数の正確な決定を可能にする。これは、特に、連続運転印刷機と共に使用される場合に有利である。
【００１２】
図１及び図２は、第１及び第２のオフセット印刷セクション２０，３０と、折り機上部構造１５０を有する折り機５０と、裁断装置７０と、羽根車８０とを有する印刷機１０の好適な実施形態を示している。羽根車８０はコンベヤ９０に排出する。第１及び第２の印刷セクション２０，３０は、オフセット印刷ユニットを有し、多数の胴を有していてよく、例えば、各印刷セクション２０，３０は、４色印刷配列における４つのオフセット印刷ユニットを有していてよい。各印刷ユニットは、２つの版胴２１，２２と、２つのブランケット胴２３，２４とを有していてよい。制御装置１００は、信号を受信し、信号を印刷機１０に送信する。ウェブ１２は、印刷機１０を方向Ｘに通過する。
【００１３】
第１及び第２の印刷セクション２０，３０は、ウェブ１２に交互に印刷してよい。つまり、ジョブＡが行われている場合、第１の印刷セクション２０はウェブ１２に製品Ａを印刷しており、第２の印刷セクション３０はウェブ１２に印刷していない。その後、ジョブＢが行われている場合、第２の印刷セクション３０はウェブ１２に製品Ｂを印刷しており、第１の印刷セクション２０はウェブ１２に印刷していない。
【００１４】
第１の印刷セクション２０に接続された第１の計数装置１２０は、第１の印刷セクション２０によってウェブ１２に印刷されたジョブＡの印像の数を計数する。第２の印刷セクション３０に接続された第２の計数装置１３０は、第２の印刷セクション３０によってウェブ１２に印刷されたジョブＢの印像の数を計数する。第１及び第２の計数装置１２０，１３０は制御装置１００に接続されている。
【００１５】
折り機上部構造１５０がジョブＡ又はジョブＢのために適切に構成された後、ただし印刷が各製品Ａ，Ｂのために開始する前に、マーク提供装置４０はウェブ１２にマークを提供することができる。ウェブ１２は、物質４２、例えば強磁性インキによってマークを提供される（図４参照）。
【００１６】
第１及び第２の印刷セクション２０，３０の下流に配置された折り機５０は、ウェブ１２をリボン５３，５４，５５，５６に長手方向に裁断するためのスリッタ５２を有している。折り機上部構造１５０は、フォーマのローラトップ５７及びフォーマ５９を有している。ジョブＡのための折り機構成は、経路Ａ1，Ａ2，Ａ3，Ａ4に沿ってリボン５３，５４，５５，５６を走行させてよい。ジョブＢのためには、図２に示されているように、リボン経路は同じであり、印刷機は、ジョブＡがジョブＢに切り替えられながら連続的に運転されてよい。
【００１７】
ジョブＣのための別の折り機構成は、図３に示されているように、経路Ｃ1，Ｃ2，Ｃ3，Ｃ4に沿ってリボン５３，５４，５５，５６を走行させてよい。これは、ウェブスプライス及び印刷機の停止を必要とする。マーク提供装置４０は、図４に示されているように各リボン５３，５４，５５，５６が、検出可能な量の物質４２を有するように、ウェブ１２にマークを提供する。
【００１８】
リボン経路Ａ1，Ａ2，Ａ3，Ａ4は、印刷されているジョブがそのように要求する場合にのみ再構成又は調整される。経路Ａ1，Ａ2，Ａ3，Ａ4は、異なる長さを有していてよく、最も短い長さを有する短い経路Ａ1と、最も長い長さを有する長い経路Ａ4とを有していてよい。経路Ａ4は経路Ａ1よりも長いので、リボン５６は、リボン５３よりも、折り機上部構造１５０を通過するためにより長い時間を必要とする。各リボン経路Ａ1，Ａ2，Ａ3，Ａ4の長さを操作するために、折り機上部構造１５０において変向バーが使用されてよい。
【００１９】
折り機５０のさらに下流において、フォーマのローラトップ５７は、ジョブＡのリボン５３，５４，５５，５６をリボン束５８に収集する。リボン束５８が形成された後、センサ６０は各リボン５３，５４，５５，５６における物質４２を検出する。センサ６０は、磁気方式であってよく、強磁性インキを検出してよい。次いで、フォーマ５９は、リボン束５８を長手方向に折り畳む。
【００２０】
折り畳まれたリボン束５８は折り機５０から排出され、裁断胴７０によって、完成した折丁１１０に横裁ちされる。羽根車８０は、さらなる処理のために折丁１１０をコンベヤ９０上に載置する。各完成したジョブＡ折丁１１０は、ジョブＡのリボン５３，５４，５５，５６のそれぞれからの印像を有する。
【００２１】
コンベヤ９０はダンプゲート９２を有する。ダンプゲート９２は制御装置１００に接続されている。ダンプゲート９２は、不完全な折丁、不適切に構成された折丁又は拒絶された折丁のための択一的な経路を提供する。つまり、ジョブ変更の間、不適切に構成されたリボン又は折丁から成る折丁１１２は、ダンプゲート９２を介して逸らされる（図３参照）。このような不適切な折丁はジョブ変更の間に生じる。なぜならば、幾つかの折丁が、折り機上部構造における不均一な経路長さにより、製品Ａ印像と製品Ｂ印像との両方を有するからである。
【００２２】
図１は、折丁１１０を形成する印刷機１０において印刷されている製品Ａを示している。折り機５０はジョブＡのために適切に構成されている。ウェブ１２は、マーク提供装置４０によって物質４２によってマークされている。マーク提供装置４０とセクション２０の最後の印刷ユニットとの間の距離Ｄ1は、ウェブ速度のように、分かっている。物質４２がセクション２０の最後の印刷ユニットを通過すると、計数装置１２０がウェブ１２に印刷された印像の数を数え始める。
【００２３】
リボン束５８がセンサ６０を通過しながら、センサ６０は各リボン５３，５４，５５，５６上の物質４２を検出する。第１のマークが検出されると、計数装置１２０は、制御装置１００に、マークが印刷セクション２０から出た時と、第１のマークが検出された時との間に印刷された印像の数を送信する。つまり、最も短い経路長さＡ1の間に印刷された印像の数が知られる。次いで、センサ６０は、次の２つのマークを検出し、次いで、リボン５６から最後のマークを検出する。最後のマークが検出されると、計数装置１２０は、制御装置１００に、マークが印刷セクション２０から出た時と、最後のマークが検出された時との間に印刷された印像の数を送信する。つまり、最も長い経路長さＡ4の間に印刷された印像の数が知られる。制御装置１００は、マークが最後のマークであるかどうかを決定することができる。これは、リボンの数を知りかつ通過するマークを数えることによって、又は各マークを用いて計数を記憶しかつ、最後のマークが通過したことを保証するために、例えば、可能な最も長いウェブ経路に基づいて、所定の時間だけ待機することによって、行われる。
【００２４】
例えば、リボン５３は短い経路Ａ1を介して折り機５０を通過し、セクション２０から排出されてから、センサ６０によって検出するまでの間に、６０印像が計数された。リボン５６は長い経路Ａ4を介して折り機４０を通過し、その時間の間に９０印像が計数された。リボン５４のために７０印像が計数され、リボン５５のために８０印像が計数された。ジョブ経路データ１０２のセットがジョブＡのために生ぜしめられる。ジョブデータ１０２のセットは、短い経路Ａ1に沿って計数された印像の数、つまり短い値１０２sと、長い経路Ａ4に沿って計数された印像の数、つまり長い値１０２Lとを含む。つまり、セット１０２は、短い値及び長い値（１０２s，１０２L）を含む。短い値及び長い値１０２s，１０２Lは、後に使用するために制御装置１００によって記憶され、これと共に印刷セクション２０又は３０はウェブを印刷するために使用された。
【００２５】
印刷セクション２０はウェブ１２における製品Ａの印刷を継続する。次いで、適切に構成されたリボン束５８は、フォーマのローラトップ５７によって形成され、フォーマ５９によって縦折りされ、裁断胴７０によって横折りされ、適切に構成された折丁１１０を提供する。ここで、羽根車８０は、適切に構成された折丁１１０を、さらに搬送するためのコンベヤ９０上に載置し、排出口９２が閉鎖される。フォーマのローラトップ５７と排出口９２との間の距離は分かっている。
【００２６】
図２において、第２の印刷ジョブが印刷されようとしており、全く同じ折り機構成を必要とする。しかしながら、印刷機１０の構成は、印刷セクション３０が製品Ｂをウェブ１２に印刷するように変更されている。各セクション２０，３０の最後の印刷ユニットの間の距離Ｄ2が分かっているので、ジョブＡがセクション３０の最後の印刷ユニットを通過すると、セクション２０は印刷を停止し、セクション３０が空白のウェブ１２に印刷する（図１参照）。印刷セクション３０が印刷を開始した後、ジョブＡ及びジョブＢは、所定の時間だけ折り機５０を通過させられる。長い経路Ａ4は短い経路Ａ1よりも長いので、長い経路Ａ4を介してフォーマのローラトップ５７に到達するために、リボン５６におけるジョブＢの印像のために、より多くの時間が必要とされる。
【００２７】
例えば、箇所Ａ，Ｂ，Ｃ，Ｄは、印刷ジョブがジョブＡからジョブＢに変更されたところを示している。箇所Ａ，Ｂ，Ｃ，Ｄの下流において、ジョブＡの印像が、それぞれ、リボン５３，５４，５５，５６に印刷されている。箇所Ａ，Ｂ，Ｃ，Ｄの上流において、ジョブＢの印像が、それぞれ、リボン５３，５４，５５，５６に印刷されている。
【００２８】
その後、ジョブＡを用いて印刷されたリボン５３，５４，５５，５６が、ジョブＢを用いて印刷されたリボン５３，５４，５５，５６と組み合わされるときに、フォーマのローラトップ５７において形成するリボン束５８が、不適切に形成される。つまり、制御装置１００は、ジョブＢを用いて印刷されたリボン５３，５４，５５，５６が、ジョブＡを用いて印刷されたリボン５３，５４，５５，５６と組み合せ始める前に、どれだけ多くの適切に構成されたリボン束５８が形成されるかを決定するために、短い値１０２ｓを使用する。これは、ジョブＢを用いて印刷されたリボン５３における箇所Ａが、リボン５４，５５，５６に印刷されたジョブＡの印像と組合せ始める瞬間を生じる。
【００２９】
ジョブＢが開始するやいなや、短い値１０２ｓが使用され、短い経路Ａ1を介して折り機５０を通過するリボン５３におけるジョブＡの６０印像が、ジョブＡのリボン５４，５５，５６と組み合わされることを決定し、これにより、６０のより適切に構成されたリボン束５８を形成する。経路Ａ1における６１番目の印像はジョブＢの印像であり、６１番目の印像は箇所Ａの上流に位置する。このように、羽根車８０によってコンベヤ９０上に載置される６０の対応する折丁１１０は適切に構成される。つまり、ジョブＡに残る適切に構成されたリボン束５８の数を決定するために、短い値１０２ｓが使用される。
【００３０】
経路Ａ1からの６０番目のジョブＡ印像がリボン束５８に組み合わされた後、所定の時間の間の後続のリボン束５８は、ジョブＡを用いて印刷された少なくとも１つのリボン５３，５４，５５，５６と、ジョブＢを用いて印刷された少なくともリボン５３，５４，５５，５６を有しており、不適切に構成された折丁を生ぜしめる。羽根車８０はこれらの不適切に構成された製品をコンベヤ９０に載置する。短い値１０２ｓ、及びフォーマのロールトップ５７におけるセンサ６０と排出口９２との間の分かっている距離とに関連して、最後の適切に構成されたジョブＡ折丁１１０が排出口９２を通過した時に、制御装置１００が排出口９２を作動させる。次いで、排出口９２は、不適切に構成された折丁を廃棄する又は逸らせる。
【００３１】
リボン５６における箇所Ｄがフォーマのロールトップ５７に到達すると、適切に形成されたＢ製品を形成する。適切なＢ製品が排出口９２に接近するにつれて、排出口９２は、Ｂ製品のデリバリを可能にするように再位置決めされることができる。これは、長い値１０２L、ここでは９０印像、から決定することが容易であり、これにより、３０の不良な製品が廃棄された後、排出口９２が再設定される。良好な製品が廃棄される必要はない。現実には、印刷ユニットの切換え及びタイミングは、完全でなくてよく、距離は、印像長さに関して整数でなくてよく、これにより、良好であると考えられる印像の数、例えば５、が、推定される不良な製品のそれぞれの側において廃棄されるように設定されることができる。
【００３２】
距離Ｄ2が分かっているので、各折り機構成のために１つのマーク提供だけがあればよい。つまり、例えば、印刷が、折り機構成における変化と共にセクション２０へ再び切り替えられるならば、記憶された短い値１０２sと、長い値１０２Lとは、距離Ｄ2だけ減じられることができる（印像長さが分かっているので）。
【００３３】
様々なジョブのために、折り機５０のための構成も、図３に示されているように変更されてよい。これは、一般的に、印刷機が停止させられている時にウェブスプライスを用いて行われる。構成が変更された後、マーク提供装置４０は、物質４２を用いてウェブ１２にマークを提供し、製品Ｃを印刷し始める。物質４２がセクション３０の最後の印刷ユニットを通過すると、計数装置１３０は、ウェブ１２に印刷されている印像の数を数える。リボン束５８がセンサ６０を通過しながら、センサ６０は各リボン５３，５４，５５，５６上の物質４２を検出する。第１のマークが検出されると、計数装置１３０は、ウェブ１２がマークを提供された時と、第１のマークが検出された時との間に印刷された印像の数を制御装置１００に送信する。つまり、最も短い経路長さＣ1の間に印刷された印像の数が知られる。次いで、センサ６０は、次の２つのマークも検出し、次いでリボン５６から最後のマークを検出する。最後のマークが検出されると、計数装置１３０は、ウェブ１２がマークを提供された時と、最後のマークが検出された時との間に印刷された印像の数を制御装置１００に送信する。つまり、最も長い経路長さＣ4の間に印刷された印像の数が知られる。
【００３４】
制御装置１００は、短い経路Ｃ1に沿って数えられた印像の数、つまり短い値１０４ｓと、長い経路Ｃ4に沿って数えられた印像の数、つまり長い値１０４Lと、どの印刷セクション２０又は３０が印刷のために使用されたかとを含む、ジョブＣのためのジョブデータ１０４のセットを記憶する。例えば、短い値１０４sは７０印像であってよく、長い値１０４Lは１００印像であってよい。長い値１０４Lは、適切に構成されたリボン束５８を製造するためにジョブＣのためにウェブ１２に印刷される必要がある印像の数を表している。
【００３５】
ジョブＣが終了し、同じ折り機構成を用いる印刷ジョブＤが開始すると、このデータは、ジョブＡ及びＢに関して上に説明したように不良な折丁のみを廃棄するために使用されることができる。セクション２０が印刷を開始すると、セクション２０がセクション３０の上流にあるとしても、セクション２０は、ジョブＣとジョブＤとの間にほとんど又は全く空白が生じないようにタイミングを合わせられることができる。
【００３６】
図４に示されているように、ウェブ１２は物質４２を用いてマークされているので、ウェブ１２が裁断された後でさえもリボン５３，５４，５５，５６が物質４２でマークされる。
【００３７】
別の実施形態において、各リボン５３，５４，５５，５６を読み取るために、知られた位置において、フォーマのローラトップ５７の上流に、複数のセンサが提供されてよく、これにより、通常のインキの使用を可能にする。つまり、計数装置は、センサの間の印像の数を数え、これらの値から経路長さを決定してよい。しかしながら、これは、より高価で、より望ましくない。
【００３８】
択一的な実施形態において、マーク提供装置は噴霧ノズルであってよい。ウェブに提供される物質は強磁性インキであってよい。リボンはフォーマのロールトップ５７において重ねられるので、強磁性インキは有利であり、マークは視覚的に検出される必要はない。例えば、磁気センサが、インキを検出するために使用されてよい。物質は後で除去されてよい。マークは、各折り機構成のために一回だけ提供されればよく、有利には、あらゆる見当合せマークとは別個のものであることができ、印刷ユニットによって製造される全ての印像に提供される必要はない。別の好適な実施形態において、ウェブは、第１及び第２の印刷ユニットがウェブに製品Ａ，Ｂを印刷した後に物質でマークされてよい。長手方向の関係は、例えば付加的なセンサによって知られるか又は決定されなければならない。
【００３９】
別の択一的な実施形態において、ウェブは、あらゆる数の複数のリボンに分割されてよく、多数の経路及び経路長さが選択されてよい。最も速い経路と最も遅い経路とから来る製品は、いつ排出口が開閉されるべきであるかを決定するために、センサによって検出される必要がある。さらに、検出装置は、適切に構成された製品のみを数えてよい。さらに、各ジョブのための短い値及び長い値のデータセットは、記憶され、制御装置によって自動的に検索されてよい。
【００４０】
前の明細書において、発明は、発明の典型的な実施形態及び実施例を引用して説明された。しかしながら、請求項に記載された発明のより広い精神及び範囲から逸脱することなく、変更が加えられてよいことは明らかである。したがって、明細書及び図面は、制限的ではなく例示的に見なされるべきである。
【符号の説明】
【００４１】
１０  印刷機、  １２  ウェブ、  ２０  セクション、  ２１，２２  版胴、  ２３，２４  ブランケット胴、  ３０  セクション、  ４０  マーク提供装置、  ４２  物質、  ５０  折り機、  ５２  スリッタ、  ５３，５４，５５，５６  リボン、  ５７  ローラトップ、  ５８  リボン束、  ５９  フォーマ、  ６０  センサ、  ７０  裁断装置、  ８０  羽根車、  ９０  コンベヤ、  ９２  ダンプゲート、  １００  制御装置、  １１０  折丁、  １２０，１３０  計数装置、  １５０  折り機上部構造
【図１】
2010517825.tif 000003
【図２】
2010517825.tif 000004
【図３】
2010517825.tif 000005
【図４】
2010517825.tif 000006
【国際調査報告】
2010517825.tif 000007